(57)【特許請求の範囲】
【請求項１】
絶縁ハウジング４０と、所定のピッチで並列するターミナル２０とで構成される回路基板実装用の電気コネクタ１０において、
前記ターミナル２０が、平板状の基板部２１と、この基板部２１の一側面側の、基板部２１から折り返された連続片２３で形成したコンタクト対２４と、基板部２１の他側面側の、基板部２１から略直角に折曲されたキャリア連結片３０とを有し、
前記絶縁ハウジング４０が、前記ターミナル２０の基板部２１の周囲にオーバーモールドされ、略平板状に形成されてターミナル２０を保持しており、
前記ターミナル２０のコンタクト対２４が絶縁ハウジング４０の一方の面４０Ａ方向に向かって延び、キャリア連結片３０が絶縁ハウジング４０の他方の面４０Ｂ方向に向って延びていることを特徴とする電気コネクタ。
【請求項２】
ターミナル２０に設けられたコンタクト対２４は、絶縁ハウジング４０の一方の面４０Ａ側に形成した凹入部４１に収容されている請求項１に記載の電気コネクタ。
【請求項３】
絶縁ハウジング４０の他方の面４０Ｂ側に、ターミナル２０の基板部２１に達する開口部４２が設けられ、この開口部４２を通して基板部２１に融着し、絶縁ハウジング４０の他方の面４０Ｂ外に突出する半田ボール３３が設けられている請求項１または２に記載の電気コネクタ。
【請求項４】
ターミナル２０の基板部２１とキャリア連結片３０が連続する折曲部３１に、折曲部３１に沿って切欠開口３２が形成され、絶縁ハウジング４０を形成した樹脂が流れ込んでいる請求項１〜３の何れか１項に記載の電気コネクタ。
【請求項５】
請求項１〜４の何れか１項に記載の電気コネクタ１０と、
並列したターミナル２０の各コンタクト対２４と１対１で対応して係合するコンタクトピン６０と、
これらコンタクトピン６０にオーバーモールドされ、略平板状に形成されてコンタクトピン６０を保持している相手方の絶縁ハウジング８０とでなる電気コネクタ５０とで構成された電気コネクタ装置。
【請求項６】
相手方の電気コネクタ５０の絶縁ハウジング８０の一方の面８０Ａ側に、コンタクトピン６０の基部６１に達する開口部８１が設けられ、この開口部８１を通してコンタクトピン６０の基部６１に融着し、絶縁ハウジング８０の一方の面外に突出する半田ボール６２が設けられている請求項５に記載の電気コネクタ装置。
【発明の詳細な説明】
【０００１】
【発明の属する技術分野】
この発明は、回路基板に搭載、実装するのに好適な電気コネクタに関する。
【０００２】
【従来の技術】
従来、この種の電気コネクタは、絶縁ハウジングと多数のターミナルで構成されている。図６、７は、従来の電気コネクタの一例を示したもので、図６のターミナル１００の多数が図７に示されている絶縁ハウジング２００に圧入によって装着されて電気コネクタ３００を完成している。図では一つのターミナル１００のみを示しているが、実際には多数のターミナル１００が所定のピッチで並列して装着される。図６のターミナル１００の場合、一対のコンタクト片１０１を対向させたコンタクト対の基部に圧入部１０２を連続させ、更に圧入部１０２に半田ボール融着部１０３を連続させている。薄金属板から打ち抜かれて構成されている。
【０００３】
このようなターミナル１００が絶縁ハウジング２００に貫通して設けられたターミナル受入空洞（図示せず）に圧入され、前記圧入部１０２をターミナル受入空洞の内壁に係止させることで、ターミナル１００が絶縁ハウジング２００に保持されるようにしている。各ターミナル１００の半田ボール融着部１０３には半田ボール１０４が融着されて、融着部と反対側の一部が絶縁ハウジング２００から外部に突出するようにされる。
【０００４】
図７に示した４００は、相手方の電気コネクタで、電気コネクタ３００側に多数設けられたターミナル１００のコンタクト対と１対１で対応するコンタクトピン５００が絶縁ハウジング６００に保持されている。電気コネクタ３００と相手方の電気コネクタ４００とで電気コネクタ装置が構成される。各電気コネクタ３００、４００をそれぞれ回路基板に搭載、実装することで回路基板相互が電気コネクタ３００、４００を介して接続可能とされる。
【０００５】
ターミナルを絶縁ハウジングに保持する構造は、上記のターミナル受入空洞の外、ターミナル装着溝を絶縁ハウジングを貫通するように設け、ターミナルの側縁をターミナル装着溝の対向する内壁に係止させる構造も知られている（例えば、特開平１１−１４４８２１号公報）。
【０００６】
【発明が解決しようとする課題】
上記のような構造の従来の電気コネクタは、ターミナルを絶縁ハウジングのターミナル受入空洞や装着溝に圧入した構造であるために、ターミナルの装着に多大の工数を要し製造コストが嵩むという問題点があった。ターミナルの多極化、高密度化が進んでおり、１００極以上のターミナルを高密度に並列して設けたものも製造され、この問題の解決が必須となっている。
また、ターミナルが絶縁ハウジングを貫通するターミナル受入空洞や装着溝に圧入する構造は、電気コネクタを回路基板へ搭載して半田付けをする際に、ターミナル受入空洞や装着溝とターミナルの間の隙間を通して半田上りやフラックス上りが生じ、コンタクト対などの相手方電気コネクタのターミナルとの係合部を汚染する問題もあった。
【０００７】
この発明は斯かる問題点に鑑みてなされたもので、製造コストの低減を図り、また、半田上りやフラックス上りを無くした構造の電気コネクタを提供することを目的としている。
【０００８】
【課題を解決するための手段】
前記の目的のもとになされたこの発明のうち請求項１の発明は、絶縁ハウジングと、所定のピッチで並列する多数のターミナルとで構成される回路基板実装用の電気コネクタにおいて、
前記ターミナルが、平板状の基板部と、この基板部の一側面側の、基板部から折り返された連続片で形成したコンタクト対と、基板部の他側面側の、基板部から略直角に折曲されたキャリア連結片とを有し、
前記絶縁ハウジングが、前記ターミナルの基板部の周囲にオーバーモールドされ、略平板状に形成されてターミナルを保持しており、
前記ターミナルのコンタクト対が絶縁ハウジングの一方の面方向に向かって延び、キャリア連結片が絶縁ハウジングの他方の面方向に向って延びていることを特徴とする電気コネクタである。
【０００９】
請求項２の発明は、ターミナルに設けられたコンタクト対は、絶縁ハウジングの一方の面側に形成した凹入部に収容されている請求項１に記載の電気コネクタである。
【００１０】
請求項３の発明は、絶縁ハウジングの他方の面側に、ターミナルの基板部に達する開口部が設けられ、この開口部を通して基板部に融着し、絶縁ハウジングの他方の面外に突出する半田ボールが設けられている請求項１または２に記載の電気コネクタである。
【００１１】
請求項４の発明は、ターミナルの基板部とキャリア連結片が連続する折曲部に、折曲部に沿って切欠開口が形成され、絶縁ハウジングを形成した樹脂が流れ込んでいる請求項１〜３の何れか１項に記載の電気コネクタである。
【００１２】
また、請求項５の発明は、請求項１〜４の何れか１項に記載の電気コネクタと、並列したターミナルの各コンタクト対と１対１で対応して係合する多数のコンタクトピンと、
これら多数のコンタクトピンにオーバーモールドされ、略平板状に形成されてコンタクトピンを保持している絶縁ハウジングとでなる相手方の電気コネクタとで構成された電気コネクタ装置である。
【００１３】
請求項６の発明は、相手方の電気コネクタの絶縁ハウジングの一方の面側に、コンタクトピンの基部に達する開口部が設けられ、この開口部を通してコンタクトピンの基部に融着し、絶縁ハウジングの一方の面外に突出する半田ボールが設けられている請求項５に記載の電気コネクタ装置である。
【００１４】
【作用】
この発明の電気コネクタによれば、基板部とコンタクト対とキャリア連結片とを有したターミナルに絶縁ハウジングをオーバーモールドしてターミナルを保持した構造としたので、ターミナル圧入工程をなくし、多数のターミナルを備えた電気コネクタであっても能率良く簡単に製造することができる。また、絶縁ハウジングを貫通する隙間の形成をなくすることができるので、回路基板へ半田付けする際の半田上りやフラックス上りのおそれもなくすることができる。
【００１５】
請求項２のように、ターミナルのコンタクト対を絶縁ハウジングの凹入部に収容することで、コンタクト対を絶縁ハウジングで保護し、変形や汚染を防止することができる。
【００１６】
請求項３のように、ターミナルの基板部に半田ボールを融着し、かつこの半田ボールを絶縁ハウジングから突出させることでボールグリッドアレイ（ＢＧＡ）構造の電気コネクタとすることができる。もっとも、ターミナルのキャリア連結片にディップ半田付け（ＤＩＰ）が可能のピン状の半田テイルや、表面半田付け（ＳＭＴ）が可能の半田テイルを設けてピングリッドアレイ（ＰＧＡ）構造などの電気コネクタとしても良いのは言うまでもない。
【００１７】
請求項４のように、ターミナルの基板部とキャリア連結片が連続する折曲部に、折曲部に沿って切欠開口を形成すると、隣接するターミナルとの距離（ピッチ）を可及的に近づけることを可能とし、ターミナルの並列ピッチの短縮に好適である。
【００１８】
また、請求項５の電気コネクタ装置によれば、相手方の電気コネクタも多数のコンタクトピンに絶縁ハウジングをオーバーモールドした構造としたので、能率良く簡単に製造できる電気コネクタ装置を提供することができる。そして、回路基板への実装の際の半田上りやフラックス上りのおそれのない電気コネクタ装置を提供することができる。
【００１９】
請求項６の発明によれば、相手方の電気コネクタもＢＧＡ構造の電気コネクタとすることができる。
【００２０】
【発明の実施の形態】
以下、この発明の実施形態を添付の図を参照して説明する。
【００２１】
図１には、互いに嵌合可能とした電気コネクタ１０と相手方の電気コネクタ５０で構成された電気コネクタ装置が示されている。電気コネクタ１０は、所定のピッチで並列している多数のターミナル２０と、ターミナル２０にオーバーモールドされた絶縁ハウジング４０とから成っている。また、相手方の電気コネクタ５０は、前記ターミナル２０と１対１で対応するように並列している多数のコンタクトピン６０と、コンタクトピン６０にオーバーモールドされた絶縁ハウジング８０とから成っている。ターミナル２０およびコンタクトピン６０は、図１において左右の方向で所定のピッチで並んでいるが、図の紙面に垂直の方向にも所定のピッチで並んでいる。
【００２２】
電気コネクタ１０を構成したターミナル２０は、薄金属板を打ち抜いて図２に示したような形状に成形されている。即ち、方形で平板状の基板部２１の一側面（上側面）側に、基板部２１の一側縁２２から、基板部２１よりやや狭幅の連続片２３が折り返され、この連続片２３で形成したコンタクト対２４が立設してある。コンタクト対２４は、コンタクト片２５と、もう一つのコンタクト片２６とから成る。コンタクト片２５の幅はコンタクト片２６の幅に比べて若干広くされている。コンタクト片２５、２６は、連続片２３の長手方向に沿って分離溝２７を形成し、分離溝２７の両側をそれぞれ略直角に折曲して形成されている。各コンタクト片２５、２６の基部に略直角に連続している基部片２７、２８の長さが異なる長さとしてあり、コンタクト片２５、２６の間に前記コンタクトピン６０を受け入れて係合できるようにしてある。コンタクト片２５、２６の先端部は、それぞれ弧状に湾曲させたコンタクト部２５ａ、２６ａが形成されて、コンタクトピン６０と係合する際には、互いに離れる方向へ弾性変形するようにしてある。
【００２３】
基板部２１の他側面（下側面）側には、基板部２１の他側縁２９から略直角の方向にキャリア連結片３０が延びている。キャリア連結片３０は、基板部２１と同一の幅を有している。このキャリア連結片３０を連続させている略直角の折曲部３１には、折曲部３１に沿って切欠開口３２が形成されている。
【００２４】
ターミナル２０にオーバーモールドした絶縁ハウジング４０は、前記基板部２１の四周を埋設するようにして略平板状に成形され、コンタクト対２４が絶縁ハウジング４０の一方の面４０Ａ（相手方電気コネクタ５０と接する面）方向に向かって延び、キャリア連結片３０が他方の面４０Ｂ（一方の面４０Ａの反対側の面）方向に向って延びるようにされている。そして、絶縁ハウジング４０の一方の面４０Ａ側には、コンタクト対２４と対応させて凹入部４１が形成されている。凹入部４１は、コンタクト対２４を収容する大きさと深さとされ、コンタクト対２４が絶縁ハウジング４０から外部に突出しないように収容されている。また、絶縁ハウジング４０の他方の面４０Ｂ側には、各ターミナル２０の基板部２１と対応させて、基板部２１に達する開口部４２が形成されている。キャリア連結片３０は、絶縁ハウジング４０の他方の面４０Ｂから僅かに突出している。ターミナル２０の基板部２１とキャリア連結片３０が連続する折曲部３１に形成した切欠開口３２には、絶縁ハウジング４０を形成した樹脂（絶縁性）が流れ込んでいる。
【００２５】
絶縁ハウジング４０のオーバーモールドによって、所定の位置に保持されたターミナル２０のそれぞれに対し、絶縁ハウジング４０に形成した開口部４２を通して半田ボール３３が設けられている。半田ボール３３は、開口部４２に露出している基板部２１の中央部に融着され、絶縁ハウジング４０の他方の面４０Ｂから外部に一部が突出するようにされている。
【００２６】
図３、４には、絶縁ハウジング４０がオーバーモールドされるターミナル２０が未だキャリア３４に連続した状態のものが示されている。複数のターミナル２０のキャリア連結片３０とキャリア３４が切断部３５を介して連続している。絶縁ハウジング４０のオーバーモールドは、ターミナル２０がキャリア３４に連続した状態のまま行い、オーバーモールド後に切断部３５の位置で切り離すようにしても良いし、オーバーモールド前にターミナル２０をキャリア３４から切り離して成形型（図示せず）内の所定の位置にセットして絶縁ハウジング４０をオーバーモールドするようにしても良い。
【００２７】
次に、相手方の電気コネクタ５０は、コンタクトピン６０の中間部を埋設するようにして絶縁ハウジング８０がオーバーモールドされ、略平板状に成形されている。コンタクトピン６０の基部６１が、絶縁ハウジング８０の一方の面８０Ａ側に形成した開口部８１に臨むようにされている。そして、開口部８１を通して半田ボール６２が設けられている。この半田ボール６２も、開口部８１内に臨んでいるコンタクトピン６０の基部６１に融着され、絶縁ハウジング８０の面から外部に一部が突出するようにされている。
【００２８】
図５には、上記の電気コネクタ１０、５０が嵌合した時の、ターミナル２０とコンタクトピン６０およびそれぞれに融着されている半田ボール３３、６２のみのいくつかを示している。
【００２９】
以上のように、電気コネクタ１０は、ターミナル２０に絶縁ハウジング４０をオーバーモールドして構成したので、ターミナル２０の圧入工程をなくし、多数のターミナル２０を備えた電気コネクタ１０を能率良く簡単に製造することができる。また、ターミナル２０に絶縁ハウジング４０をオーバーモールドしたので、ターミナル２０と絶縁ハウジング４０の境界面に隙間が形成されないようにすることができ、半田ボール３３をターミナル２０の基板部２１に融着する際や、回路基板（図示せず）の接続パッドに融着する際に、コンタクト対２４側に半田上りやフラックス上りが生ずるのをなくし、コンタクト対２４の清浄を維持し、電気的接続の性能が損なわれるのを避けることができる。
【００３０】
相手方の電気コネクタ５０も同様である。コンタクトピン６０に絶縁ハウジング８０をオーバーモールドしたので、コンタクトピン６０の圧入工程をなくし、また、半田ボール６２の融着の際の半田上りやフラックス上りをなくすることができる。
【００３１】
ターミナル２０を構成したコンタクト対２４を絶縁ハウジング４０に形成した凹入部４１内に収容して外部に突出しないようにしたので、電気コネクタ５０との嵌合前において、コンタクト対２４に手や他の物が接触しないように保護することができる。このため、コンタクト対２４が変形や汚染から守ることができる。また、コンタクト対２４を通して回路基板内の回路に静電気が放電して回路構成部品にダメージを与えるような事態も避けることができる。
【００３２】
ターミナル２０の基板部２１とキャリア連結片３０が連続する折曲部３１に切欠開口３２を形成するようにすると、一方のターミナル２０の一側縁２２と、これに隣接する他方のターミナル２０の折曲部３１が形成されている他側縁２９の間のショートを防止するのに有効であり、隣接するターミナル２０間の距離（ピッチ）を可及的に小さくすることができる。これは、電気コネクタ１０の小型化に有効で、ターミナル２０の極数が多くなればなるほど顕著となる。また、この切欠開口３２には絶縁ハウジング４０を形成する樹脂が流れ込むので、絶縁ハウジング４０とターミナル２０の一体性を強固にでき、ターミナル２０の保持に弛みが生じないようにすることができる。
【００３３】
また、ターミナル２０には半田ボール３３を融着して、絶縁ハウジング４０から一部が突出するようにしたので、ＢＧＡ構造の電気コネクタ１０とすることができ、多極高密度の電気コネクタ１０を構成することができる。相手方の電気コネクタ５０も同様である。尚、この半田ボール３３を設けない電気コネクタの構成も可能である。その場合は、ターミナル２０のキャリア連結片３０に、絶縁ハウジング４０の外方に延びるＤＩＰ半田付け用のピン状の半田テイルや、ＳＭＴ半田付け用の半田テイルを連続させて設け、これらの半田テイルに切断部を介して前記キャリア３４を連続させるようにする。
【００３４】
【発明の効果】
以上に説明の通り、この発明によれば、所定のピッチで並列したターミナルに絶縁ハウジングをオーバーモールドにより成形するようにしたので、ターミナルの圧入工程をなくし、能率良く簡単に製造ができる電気コネクタを提供することができる。特に、多数のターミナルを使用するコネクタにおいて、その効果がより一層発揮される。また、ターミナルと絶縁ハウジングの境界面に隙間が形成されないので、半田上りやフラックス上りを防止し、半田付けによって電気的接続の性能を損なうことのない電気コネクタを提供することができる。
【図面の簡単な説明】
【図１】この発明の実施形態の電気コネクタ装置の嵌合状態の一部断面図である。
【図２】実施形態の電気コネクタ装置を構成した一方の電気コネクタのターミナルの斜視図である。
【図３】同じく一方の電気コネクタのターミナルのキャリアと連続した状態の一部正面図である。
【図４】図３の側面図である。
【図５】実施形態の電気コネクタの嵌合状態のターミナルとコンタクトピンおよび半田ボールのみを表した一部斜視図である。
【図６】従来の電気コネクタを構成するターミナルの斜視図である。
【図７】従来の電気コネクタ装置の嵌合状態の概略正面図である。
【符号の説明】
１０          電気コネクタ
２０          ターミナル
２１          基板部
２３          連続片
２４          コンタクト対
３０          キャリア連結片
３１          折曲部
３２          切欠開口
３３          半田ボール
４０          絶縁ハウジング
４１          凹入部
４２          開口部
５０          相手方の電気コネクタ
６０          コンタクトピン
６１          基部
６２          半田ボール
８０          絶縁ハウジング
８１          開口部
【図１】
0004000865.tif 000002
【図２】
0004000865.tif 000003
【図３】
0004000865.tif 000004
【図４】
0004000865.tif 000005
【図５】
0004000865.tif 000006
【図６】
0004000865.tif 000007
【図７】
0004000865.tif 000008